【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
ユーザが身体に着用することで携帯される携帯機によって自動車に搭載のコントロールユニットに動作を指示する電子キーシステムであって、
前記携帯機は、
ユーザの生体情報を検知する生体認識センサと、
予め登録されたユーザの生体情報を格納している登録生体情報記憶手段と、
前記生体認識センサが検知したユーザの前記生体情報が予め登録された前記ユーザの生体情報と一致するか否かで当該ユーザの個人認証を判別する生体認証手段と、
前記個人認証が得られると前記コントロールユニットからのリクエスト信号に応答してＩＤ信号を送信する通信制御手段と、
運動検知センサと、
前記運動検知センサの検知信号に基づいて当該携帯機の動きを検出する運動検出手段と、
前記運動検出手段が検出した動きの種類に応じた動作を自動車に指示する命令コードを生成する動作指示手段と、
を備え、
前記コントロールユニットは、出力した前記リクエスト信号に応答して前記携帯機から送られてくる前記ＩＤ信号に基づいて当該携帯機との通信の可否を判別する携帯機認識手段を備えて、通信を可にした前記携帯機から前記命令コードが送られてくると、当該命令コードに応じた動作を自動車に実行させることを特徴とする電子キーシステム。
【請求項２】
前記携帯機は、さらに着脱検知手段を備え、
前記生体認証手段は、前記着脱検知手段が前記携帯機の前記ユーザへの着用を検出したとき前記個人認証の判別を行うことを特徴とする請求項１に記載の電子キーシステム。
【請求項３】
前記登録生体情報記憶手段及び前記生体認証手段を前記携帯機に代えてクラウドサーバに設け、
前記携帯機は、前記生体認識センサが検出した前記生体情報を前記クラウドサーバへ送信し、前記クラウドサーバが送信されてきた当該生体情報が予め登録された前記ユーザの生体情報と一致していることを判別すると、前記通信制御手段が前記コントロールユニットからの前記リクエスト信号に応答して前記ＩＤ信号を送信することを特徴とする請求項１に記載の電子キーシステム。
【請求項４】
ユーザが身体に着用することで携帯される携帯機によって自動車に搭載のコントロールユニットに動作を指示する電子キーシステムであって、
前記携帯機は、
ユーザの生体情報を検知する生体認識センサと、
予め登録されたユーザの生体情報を格納している登録生体情報記憶手段と、
前記生体センサが検知したユーザの前記生体情報が予め登録された前記ユーザの生体情報と一致するか否かで当該ユーザの個人認証を判別する生体認証手段と、
前記個人認証が得られると前記コントロールユニットからのリクエスト信号に応答してＩＤ信号を送信する通信制御手段と、
を備え、
前記コントロールユニットは、
前記リクエスト信号に応答して前記携帯機から送られてくる前記ＩＤ信号に基づいて当該携帯機の認証を判別する携帯機認識手段と、
前記携帯機の認証により自動車のドアロックを解除する解除手段と、
ドアロックの解除後に撮像を開始する撮像装置と、
前記撮像装置からの撮像情報に基づきユーザの特定の動きを検出する画像認識手段と、
前記画像認識手段が検出した動きに応じた動作を自動車に実行させる動作制御手段と、
を備えたことを特徴とする電子キーシステム。
【請求項５】
前記登録生体情報記憶手段及び前記生体認証手段を前記携帯機に代えてクラウドサーバに設け、
前記携帯機は、前記コントロールユニットからの前記リクエスト信号に応答して前記ＩＤ信号を送信し、前記コントロールユニットが送信されてきた当該ＩＤ信号に基づいて前記携帯機認識手段が当該携帯機を認証したとき、前記生体認識センサにより検出された前記生体情報を前記コントロールユニットへ送信し、
前記コントロールユニットは、送信されてきた当該生体情報を前記クラウドサーバへ転送して、前記クラウドサーバが送信されてきた当該生体情報が予め登録された前記ユーザの生体情報と一致していることを判別すると、前記解除手段によりドアロックを解除することを特徴とする請求項４に記載の電子キーシステム。
【手続補正２】
【補正対象書類名】明細書
【補正対象項目名】０００７
【補正方法】変更
【補正の内容】
【０００７】
本発明の電子キーシステムは、ユーザが身体に着用することで携帯される携帯機によって自動車に搭載のコントロールユニットに動作を指示する電子キーシステムであって、前記携帯機は、ユーザの生体情報を検知する生体認識センサと、予め登録されたユーザの生体情報を格納している登録生体情報記憶手段と、前記生体認識センサが検知したユーザの前記生体情報が予め登録された前記ユーザの生体情報と一致するか否かで当該ユーザの個人認証を判別する生体認証手段と、前記個人認証が得られると前記コントロールユニットからのリクエスト信号に応答してＩＤ信号を送信する通信制御手段と、運動検知センサと、前記運動検知センサの検知信号に基づいて当該携帯機の動きを検出する運動検出手段と、前記運動検出手段が検出した動きの種類に応じた動作を自動車に指示する命令コードを生成する動作指示手段と、を備え、前記コントロールユニットは、出力した前記リクエスト信号に応答して前記携帯機から送られてくる前記ＩＤ信号に基づいて当該携帯機との通信の可否を判別する携帯機認識手段を備えて、通信を可にした前記携帯機から前記命令コードが送られてくると、当該命令コードに応じた動作を自動車に実行させることを特徴としている。
【手続補正３】
【補正対象書類名】明細書
【補正対象項目名】０００８
【補正方法】変更
【補正の内容】
【０００８】
このとき、前記携帯機は、さらに着脱検知手段を備えて、前記生体認証手段は、前記着脱検知手段が前記携帯機の前記ユーザへの着用を検出したとき、前記個人認証の判別を行う。これにより、携帯機の着用者だけが自動車に指示を与えることができる。
【手続補正４】
【補正対象書類名】明細書
【補正対象項目名】０００９
【補正方法】変更
【補正の内容】
【０００９】
或る実施例では、前記登録生体情報記憶手段及び前記生体認証手段を前記携帯機に代えてクラウドサーバに設け、前記携帯機は、前記生体認識センサが検出した前記生体情報を前記クラウドサーバへ送信し、前記クラウドサーバが送信されてきた当該生体情報が予め登録された前記ユーザの生体情報と一致していることを判別すると、前記通信制御手段が前記コントロールユニットからの前記リクエスト信号に応答して前記ＩＤ信号を送信する。このようなクラウドサーバを用いることで、一つの携帯機で複数の自動車のコントロールユニットとの間で認証を成立させることが可能となる。
【手続補正５】
【補正対象書類名】明細書
【補正対象項目名】００１０
【補正方法】変更
【補正の内容】
【００１０】
本発明の別の側面によれば、ユーザが身体に着用することで携帯される携帯機によって自動車に搭載のコントロールユニットに動作を指示する電子キーシステムであって、前記携帯機は、ユーザの生体情報を検知する生体認識センサと、予め登録されたユーザの生体情報を格納している登録生体情報記憶手段と、前記生体センサが検知したユーザの前記生体情報が予め登録された前記ユーザの生体情報と一致するか否かで当該ユーザの個人認証を判別する生体認証手段と、前記個人認証が得られると前記コントロールユニットからのリクエスト信号に応答してＩＤ信号を送信する通信制御手段と、を備え、前記コントロールユニットは、前記リクエスト信号に応答して前記携帯機から送られてくる前記ＩＤ信号に基づいて当該携帯機の認証を判別する携帯機認識手段と、前記携帯機の認証により自動車のドアロックを解除する解除手段と、ドアロックの解除後に撮像を開始する撮像装置と、前記撮像装置からの撮像情報に基づきユーザの特定の動きを検出する画像認識手段と、前記画像認識手段が検出した動きに応じた動作を自動車に実行させる動作制御手段と、を備える。
【手続補正６】
【補正対象書類名】明細書
【補正対象項目名】００１１
【補正方法】変更
【補正の内容】
【００１１】
この場合の或る実施例では、前記登録生体情報記憶手段及び前記生体認証手段を前記携帯機に代えてクラウドサーバに設け、前記携帯機は、前記コントロールユニットからの前記リクエスト信号に応答して前記ＩＤ信号を送信し、前記コントロールユニットが送信されてきた当該ＩＤ信号に基づいて前記携帯機認識手段が当該携帯機を認証したとき、前記生体認識センサにより検出された前記生体情報を前記コントロールユニットへ送信し、前記コントロールユニットは、送信されてきた当該生体情報を前記クラウドサーバへ転送して、前記クラウドサーバが送信されてきた当該生体情報が予め登録された前記ユーザの生体情報と一致していることを判別すると、前記解除手段によりドアロックを解除する。このようなクラウドサーバを用いることで、上記の実施例と同様、一つの携帯機で複数の自動車のコントロールユニットとの間で認証を成立させることが可能となる。
【手続補正７】
【補正対象書類名】明細書
【補正対象項目名】００１２
【補正方法】削除
【補正の内容】